(57)【要約】【課題】操作性に優れるとともに低消費電力の撮像装置を提供する。【解決手段】複数の撮影モードを有し、撮影モードに対応する異なる種類の着脱可能な記録媒体を持つ。撮影モードに応じて、一方の記録媒体の着脱動作を禁止する。一方の記録媒体１００９が、他方の記録媒体１０２０を覆うカバーに収納配置される。一方の記録媒体１００９の着脱動作を禁止することで、操作性に優れるとともに、収納部等の無駄な動きをなくすることにより低消費電力を抑えることができる。【選択図】        図３
2004193678.tif 000002
【特許請求の範囲】
【請求項１】
複数の撮影モードを有し、撮影モードに対応する異なる種類の着脱可能な記録媒体を持つ撮像装置であって、
撮影モードに応じて、一方の記録媒体の着脱動作を禁止するようにしたことを特徴とする撮像装置。
【発明の詳細な説明】
【０００１】
【発明の属する技術分野】
本発明は、複数の異なる記録媒体を持つ撮像装置に関するものである。
【０００２】
【従来の技術】
最近の撮像装置において、カセットテープとメモリカードなどの複数の着脱可能な記録媒体を持つタイプが普及してきている。この種のタイプの撮像装置において、実装上や小型化を図るためにカセットテープとメモリカードの収納場所は、カセットカバー内に一緒に配置されることが多い。
【０００３】
その場合、カセットカバーを開くことに連動して、カセットテープ収納部が作動し、カセットテープが出てくる。従って使用者は、メモリカードを取り出したいにも関らず、カセットカバーを開くたびにカセットテープが出てくる。
【０００４】
【発明が解決しようとする課題】
一般に従来の撮像装置では、カセットテープとカセットテープ以外の記録媒体、すなわち異なる種類の記録媒体を持つものにおいては、使用者は一方の記録媒体を取り出したいにも関らず、カセットカバーを開くたびに他方の記録媒体が出てくる。そのため操作がしづらく、また他方の記録媒体の収納部が作動し、他方の記録媒体が出てくることに伴って無駄な電力を消費する。
【０００５】
本発明はかかる実情に鑑み、操作性に優れるとともに低消費電力の撮像装置を提供することを目的とする。
【０００６】
【課題を解決するための手段】
本発明の撮像装置は、複数の撮影モードを有し、撮影モードに対応する異なる種類の着脱可能な記録媒体を持つ撮像装置であって、撮影モードに応じて、一方の記録媒体の着脱動作を禁止するようにしたことを特徴とする。
【０００７】
本発明によれば、複数の撮影モードを有し、撮影モードに対応する異なる種類の着脱可能な記録媒体を持つ撮像装置において、撮影モードに応じて、一方の記録媒体の着脱動作を禁止することで、操作性に優れるとともに、収納部等の無駄な動きをなくすることにより低消費電力を抑えることができる。
【０００８】
【発明の実施の形態】
以下、図面に基き、本発明による撮像装置の好適な実施の形態を説明する。
（第１の実施形態）
図１は、本発明を適用した撮像装置の実施形態を示すブロック図である。図１において、撮像部１は光学系レンズ、ＣＣＤ等の撮像素子、オートフォーカス機構、ズーム機構等からなり、カメラ系制御部３の指示に従い、被写界に対して焦点や光量等を調整し、レンズを通して結像された被写界の光学像を映像信号に変換し、カメラ信号処理部２に送出する。
【０００９】
カメラ信号処理部２は、カメラ系制御部３の指示に従い、上記映像信号に所定の信号処理を施して、ＶＴＲブロック６に送出する。カメラ系操作部４はカメラ系に関する各種スイッチ、ダイヤル（ＡＦオン／オフ、ＡＥオート／ロック、プログラムＡＥ等）類から構成され、撮影者からの指示をシステム制御部５を介してカメラ系制御部３に送出する。システム制御部５はマイクロコンピュータ等により構成され、カメラ系制御部３、カメラ系操作部４の指示等によりカメラ系全体を制御する。
【００１０】
ＶＴＲブロック６はメカ部、メカ駆動部、マイクロコンピュータを中心とするメカ・サーボ制御部、ビデオ・オーディオ信号処理部等から構成され、システム制御部５の指示に従って、映像信号の記録・再生動作を行い、映像信号は表示部１０に送出さるとともに、ラインアウトされる。
【００１１】
ＶＴＲ系操作部７はＶＴＲ系及び装置全体に関する各種スイッチ（［ＯＮ  ＳＣＲＥＥＮ］、［ＵＰ］、［ＤＯＷＮ］、［ＲＩＧＨＴ］、［ＬＥＦＴ］、［実行］、［ＭＥＮＵ］、［ＰＬＡＹ］、［ＦＦ／ＲＥＷ］、［ＳＴＯＰ］、［ＳＴＡＲＴ／ＳＴＯＰ］等）類から構成され、撮影者からの指示をシステム制御部５に送出する。電源モードＳＷ８は、本体の電源モード（ムービー・フォト・ＶＴＲ・ＯＦＦ）を選択するためのスイッチであり、その状態をシステム制御部５に送出する。システム制御部５は、上述したカメラー体型ＶＴＲの各種機能を総合的に制御するマイクロコンピュータ等から構成される。
【００１２】
上述の説明ではＶＴＲとして記録再生部を説明しているが、半導体などの固体メモリ、ハードディスク、光記録媒体などの着脱可能な記録媒体を用いても構わない。
また、表示部１０はＬＣＤ、バックライトから構成されているが、液晶パネルだけではなく、ＣＲＴ、プラズマディスプレイなどによって構成されても良く、映像を映し出すとともに、文字や記号による本体の各種情報の表示、メニュー設定時のガイド表示等を行う。
【００１３】
９はメモリカードブロックでＶＴＲブロック６と異なる記録媒体で構成される。ＶＴＲブロック６と同様にシステム制御部５の指示に従って、映像信号の記録・再生動作を行い、映像信号は表示部１０に送出さるとともに、ラインアウトされる。
【００１４】
上述の説明では半導体などの固体メモリであるメモリーカードブロックとして記録再生部を説明しているが、ハードディスク、光記録媒体などの着脱可能な記録媒体を用いても構わない。
【００１５】
１１はカセットカバー検知スイッチで、カセットカバーの開閉を検知し、システム制御部５に情報を送出する。１２はカセットテープ収納部であり、システム制御部５からの制御信号の送出によりカセットテープの排出、収納を行う。
【００１６】
図２は、本発明に係わる実施形態の撮像装置の外観図である。図２において、１００は撮像装置本体、１０１はレンズ部、１０８は電源モードスイッチ、１１０は表示部、１２０はカセットテープ、１３０はバッテリ、１４０はカセットカバーである。
【００１７】
図２（ａ）は使用状態を、図２（ｂ）はカセットカバーを開き、カセットテープの着脱を行う状態を示す図である。この撮像装置のレイアウトではレンズ部を前面とすると、使用状態で背面からカセットテープを着脱する構成となっている。
【００１８】
図３は、図２の撮像装置を上面より見た説明図である。１０００は撮像装置本体、１００１はレンズ、１００６はＶＴＲブロック、１００８は電源モードスイッチ、１００９はメモリカードでカセットカバー１０４０に収納されている。１０１２はカセットテープ収納部、１０２０はカセットテープ、１０４０はカセットカバー、１０５０は電気基板である。
【００１９】
図３（ａ）において電源モードスイッチ１００８がＯＦＦモードであり、カセットカバー１０４０が開状態である。
【００２０】
図３（ｂ）において電源モードスイッチ１００８がＭＯＶＩＥモードであり、カセットカバー１０４０を開くと、図示しない開閉検知スイッチによりカセットカバー１０４０の開状態を検出し、カセットテープ収納部１０１２が作動し、カセットテープ１０２０を排出する。電源モードスイッチがＭＯＶＩＥモードの場合は、通常動画撮影を行うので、ＶＴＲブロック１００６によりカセットテープ１０２０に記録を行う。従ってＭＯＶＩＥモードにおいて記録媒体の着脱を行う場合は、カセットテープ収納部１０１２が作動し、カセットテープ１０２０を排出することが望ましい。
【００２１】
図３（ｃ）において電源モードスイッチ１００８がＰＨＯＴＯモードであり、カセットカバー１０４０を開くと、図示しない開閉検知スイッチによりカセットカバー１０４０の開状態を検出する。この場合にはカセットテープ収納部は作動せず、メモリカード１００９の取出しを容易に行なうことができる。電源モードスイッチ１００８がＰＨＯＴＯモードの場合は、通常静止画撮影を行うので、メモリカード１００９に記録を行う。このようにＰＨＯＴＯモードにおいて記録媒体の着脱を行う場合は、メモリカード１００９の取出しの邪魔になるため、カセットテープ収納部１０１２が作動してカセットテープ１０２０を排出しないようにしている。
【００２２】
図４は、カセットカバーの開閉検知の説明図である。図４において、１０４０はカセットカバー、１０１１は開閉検知スイッチであり、図４（ａ）のカセットカバー閉状態と図４（ｂ）のカセットカバー開状態を開閉検知スイッチ１０１１により検出する。
【００２３】
図５は、本発明に係わる実施形態における動作フローチャートである。ステップＳ３０１で電源を投入し撮像装置の動作が開始される。ステップＳ３０２でカセットカバー開閉検知を行い、開であればステップＳ３０３に進む。電源モードがフォトモードであるなら、ステップＳ３０４に進みカセット収納部は作動せず、カセットテープのイジェクトを行わない。電源モードがフォトモードでないならば、ステップＳ３０５に進みカセットテープ収納部が作動し、カセットテープが出てくる。
【００２４】
（第２の実施形態）
図６は、本発明に係わる第２の実施形態撮像装置の外観図である。図６において４００は撮像装置本体、４０１はレンズ部、４０８は電源モードスイッチ、４１０は表示部、４２０はカセットテープ、４３０はバッテリ、４４０はカセットカバーである。
【００２５】
図６（ａ）は使用状態を、図６（ｂ）はカセットカバーを開き、カセットテープの着脱を行う状態を示す図である。この撮像装置のレイアウトではレンズ部を前面とすると、使用状態で上面からカセットテープを着脱する構成となっている。
【００２６】
図７は、図６の撮像装置を背面より見た説明図である。４０００は撮像装置本体、４０１０は表示部、４００６はＶＴＲブロック、４００８は電源モードスイッチ、４００９はメモリカード、４０１２はカセットテープ収納部、４０２０はカセットテープ、４０４０はカセットカバー、４０５０は電気基板である。メモリカード４００９は、ＶＴＲブロック４００６と略並列で配置されている。また、メモリカード４００９の取出し方向とカセットテープ４０２０の取出し方向とは略同一方向となっているので、使用者にとって分かり易く、かつ使い易くなっている。
【００２７】
図７（ａ）において電源モードスイッチ４００８がＯＦＦモードであり、カセットカバー４０４０が閉状態である。
【００２８】
図７（ｂ）において電源モードスイッチ４００８がＭＯＶＩＥモードであり、カセットカバー４０４０を開くと、図示しない開閉検知スイッチによりカセットカバー１０４０の開状態を検出し、カセットテープ収納部４０１２が作動し、カセットテープ４０２０を排出する。電源モードスイッチがＭＯＶＩＥモードの場合は、通常動画撮影を行うので、ＶＴＲブロック４００６によりカセットテープ４０２０に記録を行う。したがって、ＭＯＶＩＥモードにおいて記録媒体の着脱を行う場合、カセットテープ収納部４０１２が作動し、カセットテープ４０２０を排出することが望ましい。
【００２９】
図７（ｃ）において電源モードスイッチ４００８がＰＨＯＴＯモードであり、カセットカバー４０４０を開くと、図示しない開閉検知スイッチによりカセットカバー４０４０の開状態を検出する。この場合にはカセットテープ収納部は作動せず、メモリカード４００９の取出しを容易に行うことができる。電源モードスイッチがＰＨＯＴＯモードの場合は、通常静止画撮影を行うので、メモリカード４００９に記録を行う。このようにＰＨＯＴＯモードにおいて記録媒体の着脱を行う場合は、メモリカード４００９の取出しの邪魔になるため、カセットテープ収納部４０１２が作動してカセットテープ４０２０を排出しないようにしている。
【００３０】
（第３の実施形態）
図８は本発明に係わる第３の実施形態の撮像装置の外観図である。５００は撮像装置本体、５０１はレンズ部、５０８は電源モードスイッチ、５１０は表示部、５２０はカセットテープ、５４０はカセットカバーである。
【００３１】
図８（ａ）は使用状態を、図８（ｂ）はカセットカバーを開き、カセットテープの着脱を行う状態を示す図である。この撮像装置のレイアウトではレンズ部を前面とすると、使用状態で上面からカセットテープを着脱する構成となっている。
【００３２】
図９は、図８の撮像装置を背面より見た説明図である。５０００は撮像装置本体、５０１０は表示部、５００６はＶＴＲブロック、５００８は電源モードスイッチ、５００９はメモリカード、５０１２はカセットテープ収納部、５０２０はカセットテープ、５０４０はカセットカバー、５０５０は電気基板である。メモリカード５００９は、ＶＴＲブロック５００６と略垂直に配置されていることにより撮像装置本体５０００のスペースを有効に使用することが可能となり、小型化に有効となっている。また、メモリカード５００９の取出し方向とカセットテープ５０２０の取出し方向とは略垂直方向となっていることにより、それぞれ異なる着脱式の記録媒体の識別が容易となっている。
【００３３】
図９（ａ）において電源モードスイッチ５００８がＯＦＦモードであり、カセットカバー５０４０が開状態である。
【００３４】
図９（ｂ）において電源モードスイッチ５００８がＭＯＶＩＥモードであり、カセットカバー５０４０を開くと、図示しない開閉検知スイッチによりカセットカバー５０４０の開状態を検出し、カセットテープ収納部５０１２が作動し、カセットテープ５０２０を排出する。電源モードスイッチがＭＯＶＩＥモードの場合は、通常動画撮影を行うので、ＶＴＲブロック５００６によりカセットテープ５０２０に記録を行う。このようにＭＯＶＩＥモードにおいて記録媒体の着脱を行う場合は、カセットテープ収納部５０１２が作動し、カセットテープ５０２０を排出することが望ましい。
【００３５】
図９（ｃ）において電源モードスイッチ５００８がＰＨＯＴＯモードであり、カセットカバー５０４０を開くと、図示しない開閉検知スイッチによりカセットカバー５０４０の開状態を検出する。この場合にはカセットテープ収納部は作動せず、メモリカード５００９の取出しを容易に行うことができる。電源モードスイッチがＰＨＯＴＯモードの場合は、通常静止画撮影を行うので、メモリカード５００９に記録を行う。このようにＰＨＯＴＯモードにおいて記録媒体の着脱を行う場合は、メモリカード５００９の取出しの邪魔になるため、カセットテープ収納部５０１２が作動してカセットテープ５０２０を排出しないようにしている。
【００３６】
本発明の実施態様の例を以下に列挙する。
（実施態様１）
複数の撮影モードを有し、撮影モードに対応する異なる種類の着脱可能な記録媒体を持つ撮像装置であって、撮影モードに応じて、一方の記録媒体の着脱動作を禁止するようにしたことを特徴とする。
【００３７】
（実施態様２）
一方の記録媒体が、他方の記録媒体を覆うカバーに収納配置されることを特徴とする実施態様１に記載の撮像装置。
【００３８】
（実施態様３）
一方の記録媒体が、他方の記録媒体と略並列に収納配置されることを特徴とする実施態様１に記載の撮像装置。
【００３９】
（実施態様４）
一方の記録媒体が、他方の記録媒体と略垂直に収納配置されることを特徴とする実施態様１に記載の撮像装置。
【００４０】
（実施態様５）
一方の記録媒体の取出し方向と他方の記録媒体の取出し方向が略同一方向となっていることを特徴とする実施態様１に記載の撮像装置。
【００４１】
（実施態様６）
一方の記録媒体の取出し方向と他方の記録媒体の取出し方向が略垂直方向となっていることを特徴とする実施態様１に記載の撮像装置。
【００４２】
【発明の効果】
以上説明したように本発明によれば、この種の撮像装置において撮影モードに応じて、一方の記録媒体の着脱動作を禁止することで、操作性が良く低消費電力の撮像装置を提供することができる。
【図面の簡単な説明】
【図１】本発明の実施形態における撮像装置のブロック図である。
【図２】本発明の実施形態における撮像装置の外観図である。
【図３】本発明の実施形態における動作を説明するための図である。
【図４】本発明の実施形態におけるカセットカバー開閉検知機構を説明するための図である。
【図５】本発明の実施形態における動作フローチャートである。
【図６】本発明の第２の実施形態における撮像装置の外観図である。
【図７】本発明の第２の実施形態における動作を説明するための図である。
【図８】本発明の第３の実施形態における撮像装置の外観図である。
【図９】本発明の第３の実施形態における動作を説明するための図である。
【符号の説明】
１    撮像部
２    カメラ信号処理部
３    カメラ系制御部
４    カメラ系操作部
５    システム制御部
６    ＶＴＲブロック
７    ＶＴＲ系操作部
８    電源モードＳＷ
９    メモリカードブロック
１０    表示部
１１    カセットカバー検知スイッチ
１２    カセットテープ収納部
【図１】
2004193678.tif 000003
【図２】
2004193678.tif 000004
【図３】
2004193678.tif 000005
【図４】
2004193678.tif 000006
【図５】
2004193678.tif 000007
【図６】
2004193678.tif 000008
【図７】
2004193678.tif 000009
【図８】
2004193678.tif 000010
【図９】
2004193678.tif 000011